(57)【要約】【課題】１または複数の同軸ケーブルに簡単に取付けることができ、独立したシールドを確保できる同軸ケーブルコネクタを提供すること。【解決手段】第１ケーブル固定部材（１００）の第１内側絶縁部材露出部受容溝（１１０ａ，１１０ｂ）、第１外部導体露出部受容溝（１２０ａ、１２０ｂ）に、同軸ケーブルの端部に形成した内側絶縁部材露出部、外部導体露出部を合わせ、その上に第２ケーブル固定部材（２００）を反転し押圧して係合し、それをさらにハウジング（３００）に係合する。内側絶縁部材露出部の中心導体は第１接触子（３３０ａ、３３０ｂ）の切り込みに係合し、外部導体露出部表面が第１外部導体露出部受容溝内に配設される把持導体（１４０ａ、１４０ｂ）に把持され把持導体延伸部材（１５０ａ、１５０ｂ）が第２接触子（３４０ａ、３４０ｂ）の切り込みに係合し、各接触子は外部ケーブル結合用端子に接続されている。【選択図】      図１
2004311356.tif 000002
【特許請求の範囲】
【請求項１】
第１ケーブル固定部材と、第１ケーブル固定部材と押圧により係合される第２ケーブル固定部材と、第１ケーブル固定部材と第２ケーブル固定部材を係合した組立体が押圧により係合されるハウジングと、第１ケーブル固定部材に絶縁して配設される把持導体および把持導体から延伸する把持導体延伸部材と、ハウジングに絶縁して配設される複数の接触子および接触子に接続されている外部ケーブル結合用端子と、を具備する同軸ケーブル用コネクタであって、
同軸ケーブルの内側絶縁部材露出部、外部導体露出部を形成した端末処理に対応して各固定部材が同軸ケーブルを受容する溝を有し、
把持導体が同軸ケーブルの外部導体露出部を把持し、
把持導体延伸部材が一つの接触子に接触し、内側絶縁部材露出部内の同軸ケーブルの中心導体が他の接触子に接触するようにされている、
ことを特徴とする同軸ケーブル用コネクタ。
【請求項２】
第１ケーブル固定部材が、本体ブロックと、本体ブロックの第１面側に形成され同軸ケーブルの内側絶縁部材露出部を断面の略半分受容する、少なくとも１つの、第１内側絶縁部材露出部受容溝と、第１内側絶縁部材露出部受容溝の反先端部側に連続して形成され同軸ケーブルの外部導体露出部を断面の略半分受容する第１外部導体露出部受容溝と、第１外部導体露出部受容溝の反先端部側に連続して形成され同軸ケーブルの外部導体露出部の反先端部側に連続する原径部端部を断面の略半分受容する第１原径部受容溝とを備え、第１外部導体露出部受容溝に把持導体が設置され、把持導体延伸部材が該把持導体から第１内側絶縁部材露出部受容溝に平行に同軸ケーブルの先端部方向に延伸し、
第２ケーブル固定部材が、本体ブロックと、本体ブロックの第１面側に形成され、第１ケーブル固定部材の第１内側絶縁部材露出部受容溝と同数の、同軸ケーブルの内側絶縁部材露出部を断面の略半分受容する第２内側絶縁部材露出部受容溝と、第２内側絶縁部材露出部受容溝の反先端部側に連続して形成され同軸ケーブルの外部導体露出部を断面の略半分受容する第２外部導体露出部受容溝と、外部導体露出部受容溝の反先端部側に連続して形成され同軸ケーブルの外部導体露出部の反先端部側に連続する原径部端部を略半分受容する第２原径部受容溝とを備え、第１ケーブル固定部材の把持導体に同軸ケーブルの外部導体露出部を位置合わせした後に、第１ケーブル固定部材の第１面に第２ケーブル固定部材の第１面が対向するように押圧されて、第１ケーブル固定部材に係合され、係合時に第２外部導体露出部受容溝は把持導体を押圧変形して同軸ケーブルの外部導体露出部を把持し、
ハウジングは第１ケーブル固定部材に第２ケーブル固定部材を係合したケーブル固定部材組立体が押圧されて係合される、本体ブロックと、本体ブロックの第１面に立設され係合時に同軸ケーブルの内側絶縁部材露出部の中心導体に接触し得る、第１ケーブル固定部材の第１内側絶縁部材露出部受容溝と同数の、第１接触子と、本体ブロックの第１面に立設され係合時に第１ケーブル固定部材に設置された把持導体延伸部材に接触し得る、第１ケーブル固定部材の第１内側絶縁部材露出部受容溝と同数の、第２接触子と、を備え、第１接触子が第１接触子用の接続部材を介して中心導体用の外部ケーブル結合用端子に接続され、第２接触子が第２接触子用の接続部材を介して外部導体用の外部ケーブル結合用端子に接続されており、
第１ケーブル固定部材と第２ケーブル固定部材のそれぞれに両者を相互係合するための相補的な係合手段が取付けられ、
ケーブル固定部材組立体とハウジングを相互係合するために第１ケーブル固定部材と第２ケーブル固定部材の少なくとも一方とハウジングのそれぞれに相補的な係合手段が設けられている、
ことを特徴とする請求項１に記載の同軸ケーブル用コネクタ。
【請求項３】
第１接触子および第２接触子は、ハウジングの本体ブロックに立設される板材に切り込みを形成して成る、ことを特徴とする請求項２に記載の同軸ケーブル用コネクタ。
【請求項４】
把持導体延伸部材は長手方向に垂直に突出する突起を有し、該突起が第１ケーブル固定部材に形成された穴に係合されて所定位置に保持される、ことを特徴とする請求項１に記載の同軸ケーブルコネクタ。
【請求項５】
把持導体は長手方向に垂直に突出する突起を有し、該突起が第１ケーブル固定部材に形成された穴に係合されて所定位置に保持される、ことを特徴とする請求項１に記載の同軸ケーブルコネクタ。
【請求項６】
把持導体は押圧されて変形せしめられる被押圧部分と、被押圧部分の一辺が一体に接続される基部を有し、基部の同軸ケーブル先端部に近い第１の端部に把持導体延伸部材が接続され、基部の同軸ケーブル先端部に遠い第２の端部には、原径部端部に食い込んで原径部を保持し得る段差状突起が形成されている、ことを特徴とする請求項１に記載の同軸ケーブルコネクタ。
【請求項７】
請求項１から６のいずれかの同軸ケーブルコネクタを用いて形成された同軸ケーブルハーネス体。
【発明の詳細な説明】
【０００１】
【発明の属する技術分野】
本発明は、同軸ケーブルを接続する同軸ケーブルコネクタ、および同軸ケーブルコネクタを用いたハーネス体に関する。
【０００２】
【従来の技術】
中心導体と、中心導体を周囲する内側絶縁部材と、内側絶縁部材を周囲するシールド用の外部導体と、外部導体を周囲する外側絶縁部材とから成る同軸ケーブルが各種分野で使用されている。例えば、研究機関における各種計測機器等の接続において、あるいは一般家庭における電子機器等の接続において使用されている。
【０００３】
この同軸ケーブルを各種機器、あるいは、他の同軸ケーブルと接続するのには、例えば、所謂ＢＮＣコネクタが使用されている。このＢＮＣコネクタは同軸ケーブルと接続される内側部材と、内側部材の外側に回動可能に取付けられ外部の端子に係合する斜めの切り欠きを有する外側リングとから成っている。
【０００４】
そこで、前記ＢＮＣコネクタを使用する場合には、同軸ケーブルの先端部に、中心導体のみ残してその外側の内側絶縁部材、外部導体、外側絶縁部材を除去した全内側絶縁部材露出部を所定長さ形成し、その反先端部側に連続して中心導体と内側絶縁部材部材と外部導体を残して外側絶縁部材のみを除去した外部導体露出部を所定長さ形成する。
【０００５】
そして、全剥き部の中心導体にＢＮＣコネクタの中心端子を圧着し、ＢＮＣコネクタの内側部材の反先端側の同軸ケーブル接続筒に対して、中心端子をその内側に挿入しながら、外部導体露出部の外部導体をほぐして拡げたものをその外側に大まかに被せ、その後、予め原径部にセットしておいたかしめ用部材を移動し、その先端部側部分をほぐされた外部導体の外側に被せて反先端部側部分を押しつぶして原径部に食い込ませる、という複雑な作業が必要である。そして、このＢＮＣコネクタは１本の同軸ケーブルにしか接続できない。
【０００６】
そこで、複数の同軸ケーブルに結合できるようにした同軸ケーブルコネクタが特許文献１（特開平５−１３５８２５）、特許文献２（実開平４−１４８５８）に開示されている。これらの同軸ケーブルコネクタは複数の同軸ケーブルを接続することができるが、いずれも外部導体をケーブル支持部材に半田付けする必要があり、その結果、複数の同軸ケーブルの外部導体が一体に結合され、電気的に共通化されてしまう。その結果、１つの同軸ケーブルのシールド性が悪化すると、それによって、他のすべての同軸ケーブルのシールド性も悪化してしまう。
【０００７】
【特許文献１】
特開平５−１３５８２５号公報
【特許文献２】
実開平４−１４８５８号公報
【０００８】
【発明が解決しようとする課題】
本発明は、１または複数の同軸ケーブルに簡単に取付けることができ、独立したシールドを確保できる同軸ケーブルコネクタを提供することを目的とする。
【０００９】
【課題を解決するための手段】
請求項１の発明によれば、第１ケーブル固定部材、第１ケーブル固定部材と押圧により係合される第２ケーブル固定部材、第１ケーブル固定部材と第２ケーブル固定部材を係合した組立体が押圧により係合されるハウジングと、第１ケーブル固定部材に絶縁して配設される把持導体および把持導体から延伸する把持導体延伸部材、ハウジングに絶縁して配設される複数の接触子および接触子に接続されている外部ケーブル結合端子を具備する同軸ケーブル用コネクタであって、
同軸ケーブルの内側絶縁部材露出部、外部導体露出部を形成した端末処理に対応して各固定部材が同軸ケーブルを受容する溝を有し、
把持導体が同軸ケーブルの外部導体露出部を把持し、
把持導体延伸部材が一つの接触子に接触し、内側絶縁部材露出部内の中心導体が他の接触子に接触するようにされている、
ことを特徴とする同軸ケーブル用コネクタが提供される。
このように構成される同軸ケーブルコネクタでは、押圧による係合で簡単に同軸ケーブルを取付けることができ、取付けられた同軸ケーブルの中心導体および外部導体がそれぞれ絶縁されて外部ケーブル結合端子と接続されているので複数の同軸ケーブルを取付けた場合でも、シールドが共通化されることがない。
【００１０】
請求項２の発明によれば、請求項１の発明において、第１ケーブル固定部材が、本体ブロックと、本体ブロックの第１面側に形成され同軸ケーブルの内側絶縁部材露出部を断面の略半分受容する、少なくとも１つの、第１内側絶縁部材露出部受容溝と、第１内側絶縁部材露出部受容溝の反先端部側に連続して形成され同軸ケーブルの外部導体露出部を断面の略半分受容する第１外部導体露出部受容溝と、第１外部導体露出部受容溝の反先端部側に連続して形成され同軸ケーブルの外部導体露出部の反先端部側に連続する原径部端部を断面の略半分受容する第１原径部受容溝とを備え、第１外部導体露出部受容溝に把持導体が設置され、把持導体延伸部材が該把持導体から第１内側絶縁部材露出部受容溝に平行に同軸ケーブルの先端部方向に延伸し、
第２ケーブル固定部材が、本体ブロックと、本体ブロックの第１面側に形成され、第１ケーブル固定部材の第１内側絶縁部材露出部受容溝と同数の、同軸ケーブルの内側絶縁部材露出部を断面の略半分受容する第２内側絶縁部材露出部受容溝と、第２内側絶縁部材露出部受容溝の反先端部側に連続して形成され同軸ケーブルの外部導体露出部を断面の略半分受容する第２外部導体露出部受容溝と、外部導体露出部受容溝の反先端部側に連続して形成され同軸ケーブルの外部導体露出部の反先端部側に連続する原径部端部を略半分受容する第２原径部受容溝とを備え、第１ケーブル固定部材の把持導体に同軸ケーブルの外部導体露出部を位置合わせした後に、第１ケーブル固定部材の第１面に第２ケーブル固定部材の第１面が対向するように押圧されて、第１ケーブル固定部材に係合され、係合時に第２外部導体露出部受容溝は把持導体を押圧変形して同軸ケーブルの外部導体露出部を把持し、
ハウジングは第１ケーブル固定部材に第２ケーブル固定部材を係合したケーブル固定部材組立体が押圧されて係合される、本体ブロックと、本体ブロックの第１面に立設され係合時に同軸ケーブルの内側絶縁部材露出部の中心導体に接触し得る、第１ケーブル固定部材の第１内側絶縁部材露出部受容溝と同数の、第１接触子と、本体ブロックの第１面に立設され係合時に第１ケーブル固定部材に設置された把持導体延伸部材に接触し得る、第１ケーブル固定部材の第１内側絶縁部材露出部受容溝と同数の、第２接触子と、を備え、第１接触子が第１接触子用の接続部材を介して中心導体用の外部ケーブル結合用端子に接続され、第２接触子が第２接触子用の接続部材を介して外部導体用の外部ケーブル結合用端子に接続されており、
第１ケーブル固定部材と第２ケーブル固定部材のそれぞれに両者を相互係合するための相補的な係合手段が取付けられ、
ケーブル固定部材組立体とハウジングを相互係合するために第１ケーブル固定部材と第２ケーブル固定部材の少なくとも一方とハウジングのそれぞれに相補的な係合手段が設けられている、
ことを特徴とする同軸ケーブル用コネクタが提供される。
【００１１】
請求項３の発明によれば、請求項２の発明において、第１接触子および第２接触子は、ハウジングの本体ブロックに立設される板材に切り込みを形成して成る、ことを特徴とする同軸ケーブル用コネクタが提供される。
【００１２】
請求項４の発明によれば、請求項１の発明において、把持導体延伸部材は長手方向に垂直に突出する突起を有し、該突起が第１ケーブル固定部材に形成された穴に係合されて所定位置に保持される、ことを特徴とする同軸ケーブルコネクタが提供される。
【００１３】
請求項５の発明によれば、請求項１の発明において、把持導体は長手方向に垂直に突出する突起を有し、該突起が第１ケーブル固定部材に形成された穴に係合されて所定位置に保持される、ことを特徴とする同軸ケーブルコネクタが提供される。
【００１４】
請求項６の発明によれば、請求項１の発明において、把持導体は押圧されて変形せしめられる被押圧部分と、被押圧部分の一辺が一体に接続される基部を有し、基部の同軸ケーブル先端部に近い第１の端部に把持導体延伸部材が接続され、基部の同軸ケーブル先端部に遠い第２の端部には、原径部端部に食い込んで原径部を保持し得る段差状突起が形成されている、ことを特徴とする同軸ケーブルコネクタが提供される。
【００１５】
請求項７の発明によれば、請求項１から６のいずれかの同軸ケーブルコネクタを用いて形成された同軸ケーブルハーネス体が提供される。
【００１６】
【発明の実施の形態】
以下、添付の図面を参照しながら本発明の実施の形態を説明する。
図１が本発明による同軸ケーブルコネクタ１の同軸ケーブルを取付ける前の状態を示す斜視図である。同軸ケーブルコネクタ１は２本の同軸ケーブルを取付けることができるものであって、それぞれ、絶縁性を有する樹脂材料で成形される第１ケーブル固定部材１００と第２ケーブル固定部材２００とハウジング３００を含み、第１ケーブル固定部材１００と第２ケーブル固定部材２００は柔軟性を有し折り曲げ可能な２本の連結部材２で連結され、第２ケーブル固定部材２００とハウジング３００も柔軟性を有し折り曲げ可能な２本の連結部材３で連結されている。
【００１７】
参照符号１０１で示されるのは第１ケーブル固定部材１００のブロック本体、参照符号２０１で示されるのは第２ケーブル固定部材２００のブロック本体、参照符号３０１で示されるのはハウジング３００のブロック本体、である。ここで、それぞれの、参照符号のための引き出し線がつけられている側、すなわち図１において上側を先端部側といい、その反対側、すなわち図１において下側を反先端部側という。
【００１８】
さらに、第１ケーブル固定部材１００のブロック本体１０１、第２ケーブル固定部材２００のブロック本体２０１、ハウジング３００のブロック本体３０１の、図において上向きに示されている面をそれぞれ第１面、その反対側の面を第２面と称するが符号は省略する。
【００１９】
図２に示すのは同軸ケーブルコネクタ１に取付けられる２本の同軸ケーブル１０ａ，１０ｂの先端部の処理の状態を示す図である。同軸ケーブル１０ａ，１０ｂは中心導体１１ａ，１１ｂと、中心導体１１ａ，１１ｂの外側を周囲する内側絶縁部材と１２ａ，１２ｂと、内側絶縁部材１２ａ，１２ｂの外側を周囲する外部導体１３ａ，１３ｂと、外部導体１３ａ，１３ｂの外側を周囲する外側絶縁部材１４ａ，１４ｂから成る。
なお、中心導体１１ａ，１１ｂは１本の導線からなるが、外部導体１３ａ，１３ｂはこの実施の形態では、網導線とされているが、その他、横巻きの導線、金属パイプ、金属箔、金属蒸着フィルム等で形成することもできる。
【００２０】
そして、先端から所定の長さＬ１の範囲に外部導体１３ａ，１３ｂと外側絶縁部材１４ａ，１４ｂを剥がした内側絶縁部材露出部１５ａ、１５ｂが形成され、この内側絶縁部材露出部１５ａ、１５ｂの反先端部側に連続する所定の長さＬ２の範囲に外側絶縁部材１４ａ，１４ｂのみを剥がした外部導体露出部１６ａ、１６ｂが形成されている。そして、外部導体露出部１６ａ、１６ｂの反先端部側に連続する同軸ケーブル１０ａ，１０ｂの何も剥がされず原径を有する部分を原径部端部１７ａ，１７ｂと称する。
【００２１】
図１に戻り第１ケーブル固定部材１００の詳細を説明する。第１ケーブル固定部材１００には同軸ケーブル１０ａ、１０ｂの内側絶縁部材露出部１５ａ、１５ｂを断面にて略半分受容する第１内側絶縁部材露出部受容溝１１０ａ、１１０ｂ、さらに、その反先端部側に連続し同軸ケーブル１０ａ、１０ｂの外部導体露出部１６ａ、１６ｂを断面にて略半分受容する第１外部導体露出部受容溝１２０ａ、１２０ｂ、さらに、その反先端部側に連続し同軸ケーブル１０ａ、１０ｂの原径部端部１７ａ，１７ｂを断面にて略半分受容する第１原径部端部受容溝１３０ａ、１３０ｂが形成されている。
第１内側絶縁部材露出部受容溝１１０ａ、１１０ｂは図２に示した長さＬ１に略等しい長さを有し、第１外部導体露出部受容溝１２０ａ、１２０ｂは図２に示した長さＬ２に略等しい長さを有している。
【００２２】
第１内側絶縁部材露出部受容溝１１０ａ、１１０ｂは略円弧状の断面を有しており、先端部側は先端壁１０２で閉じられている。そして、先端壁１０２に近接して、確認穴１１１ａ、１１１ｂが溝の底部から第２面側に貫通して形成されている。作業者は、この確認穴１１１ａ、１１１ｂを通して、同軸ケーブル１０ａ、１０ｂが内側絶縁部材露出部１５ａ、１５ｂの先端が先端壁１０２に当たるように所定の位置に配置されているか否かを確認することができる。
【００２３】
さらに、第１ケーブル固定部材１００と第２ケーブル固定部材２００を係合したケーブル固定部材組立体４００（図５参照）をハウジング３００に係合するときに、ハウジングに取付けられている第１接触子３３０ａ、３３０ｂを通過せしめるための第１接触子用貫通穴１１２ａ、１１２ｂが形成されている。
【００２４】
次に、第１外部導体露出部受容溝１２０ａ、１２０ｂの詳細を説明する。第１外部導体露出部受容溝１２０ａ、１２０ｂは平底Ｕ字状の断面を有し、その上に、同軸ケーブル１０ａ、１０ｂの外部導体露出部１６ａ、１６ｂを把持するための導電性材料で形成された把持導体１４０ａ、１４０ｂが配設されている。把持導体１４０ａ、１４０ｂの先端部側には把持導体延伸部材１５０ａ、１５０ｂが一体に接続され、それぞれ、先端部側に延伸している。把持導体延伸部材１５０ａ、１５０ｂは、２つの第１内側絶縁部材露出部受容溝１１０ａ、１１０ｂの間のブロック本体１０１の第１面に形成された把持導体延伸部材受容溝１６０ａ、１６０ｂの中に配設されている。
【００２５】
さらに、第１ケーブル固定部材１００と第２ケーブル固定部材２００を係合したケーブル固定部材組立体４００（図５参照）をハウジング３００に係合するときに、ハウジング３００に取付けられている第２接触子３４０ａ、３４０ｂを通過せしめるための第２接触子用貫通穴１６１ａ、１６１ｂが把持導体延伸部材受容溝１６０ａ、１６０ｂに直交するように形成されている。
【００２６】
図３は把持導体１４０ａ、１４０ｂおよびそれらに一体に取付けられている把持導体延伸部材１５０ａ、１５０ｂを単品で示す図である。把持導体１４０ａ、１４０ｂは第１ケーブル固定部材１００と第２ケーブル固定部材２００を係合する時に押圧されて変形する被押圧部分１４１ａ、１４１ｂと、被押圧部分１４１ａ、１４１ｂの一つの辺に接続され第１外部導体露出部受容溝１２０ａ、１２０ｂの平底部の上に載置される基部１４２ａ、１４２ｂを有する。
【００２７】
基部１４２ａ、１４２ｂには突起１４３ａ、１４３ｂが取付けられ、また、把持導体延伸部材１５０ａ、１５０ｂには突起１５１ａ、１５１ｂが取付けられており、これらの突起が、本体ブロック１１０に形成されている対応する穴（図示せず）に係合されることにより、把持導体１４０ａ、１４０ｂと把持導体延伸部材１５０ａ、１５０ｂは所定の位置に位置決めされる。
【００２８】
また、基部１４２ａ、１４２ｂの半先端部側の端部には段差状の突起１４４ａ、１４４ｂが形成されており、この突起１４４ａ、１４４ｂは第１ケーブル固定部材１００と第２ケーブル固定部材２００を係合する時に同軸ケーブル１０ａ、１０ｂの原径部端部１７ａ、１７ｂに食い込み、原径部端部１７ａ、１７ｂの保持をおこなう。
【００２９】
図１に戻り、第１原径部端部受容溝１３０ａ、１３０ｂの詳細を説明する。第１原径部端部受容溝１３０ａ、１３０ｂは略円弧状の断面を有している。第１原径部端部受容溝１３０ａ、１３０ｂの底部には、底部突起１３１ａ、１３１ｂが設けられ、互いに対向する側壁上端部には、第１側部突起１３２ａ、１３２ｂと第２側部突起１３３ａ、１３３ｂが形成されている。各突起は第１ケーブル固定部材１００と第２ケーブル固定部材２００を係合する時に同軸ケーブル１０ａ、１０ｂの原径部端部１７ａ、１７ｂに食い込み、原径部端部１７ａ、１７ｂの保持する機能を果たすが、第１側部突起１３２ａ、１３２ｂと第２側部突起１３３ａ、１３３ｂは同軸ケーブル１０ａ、１０ｂを最初にセットする時に、これを仮止めしてずれないようにするという機能も果たす。
【００３０】
そして第１ケーブル固定部材１００の本体ブロック１０１の第１内側絶縁部材露出部受容溝１１０ａ、１１０ｂの外側の側部には第１突起１０３ａ、１０３ｂ、第２突起１０４ａ、１０４ｂ（図１には示されない）が形成され、上側には第３突起１０５ａ、１０５ｂが形成されている。また原径部端部受容溝１３０ａ、１３０ｂの外側の側部には第４突起１０６ａ、１０６ｂ、第５突起１０７ａ、１０７ｂが形成されている。
【００３１】
次に、第２ケーブル固定部材２００の詳細を説明する。
第２ケーブル固定部材２００には同軸ケーブル１０ａ、１０ｂの内側絶縁部材露出部１５ａ、１５ｂを断面にて残余の略半分受容する第２内側絶縁部材露出部受容溝２１０ａ、２１０ｂ、さらに、その反先端部側に連続し同軸ケーブル１０ａ、１０ｂの外部導体露出部１６ａ、１６ｂを断面にて残余の略半分受容する第２外部導体露出部受容溝２２０ａ、２２０ｂ、さらに、その反先端部側に連続し同軸ケーブル１０ａ、１０ｂの原径部端部１７ａ，１７ｂを断面にて残余の略半分受容する第２原径部端部受容溝２３０ａ、２３０ｂが形成されている。
【００３２】
第２内側絶縁部材露出部受容溝２１０ａ、２１０ｂは図２に示した長さＬ１に略等しい長さを有し、第２外部導体露出部受容溝２２０ａ、２２０ｂは図２に示した長さＬ２に略等しい長さを有している。
【００３３】
なお、第２ケーブル固定部材２００は、その第１面が、第１ケーブル固定部材１００の第１面に接するように、裏返しにされて、第１ケーブル固定部材１００に係合されるので、図１において、第１ケーブル固定部材１００とは反対に、符号ａがつくものが右側に、符号ｂがつくものが左側に示されている。
【００３４】
第２内側絶縁部材露出部受容溝２１０ａ、２１０ｂは略円弧状の断面を有しており、先端部側は先端壁２０２ａ、２０２ｂで閉じられている。そして、先端壁２０２ａ、２０２ｂに近接して、確認穴２１１ａ、２１１ｂが溝の底部から第２面側に貫通して形成されている。作業者は、この確認穴２１１ａ、２１１ｂを通しても、同軸ケーブル１０ａ、１０ｂが内側絶縁部材露出部１５ａ、１５ｂの先端が先端壁２０２ａ、２０２ｂに当たるように所定の位置に配置されているか否かを確認することができる。
【００３５】
さらに、第１ケーブル固定部材１００と第２ケーブル固定部材２００を係合したケーブル固定部材組立体（図５参照）をハウジング３００に係合するときに、ハウジングに取付けられている第１接触子３３０ａ、３３０ｂを通過せしめるための第１接触子用貫通穴２１２ａ、２１２ｂが形成されている。
【００３６】
また、２つの第２内側絶縁部材露出部受容溝２１０ａ、２１０ｂの間には第１ケーブル固定部材１００と第２ケーブル固定部材２００を係合したケーブル固定部材組立体（図５参照）をハウジング３００に係合するときに、ハウジングに取付けられている第２接触子３４０ａ、３４０ｂを通過せしめるための第２接触子用貫通穴２５０ａ、２５０ｂが形成されている。
【００３７】
第２外部導体露出部受容溝２２０ａ、２２０ｂは、基本的には、略円弧状の断面を有しているが、第１ケーブル固定部材１００と第２ケーブル固定部材２００を係合するときに、把持導体１４０ａ、１４０ｂの被押圧部分１４１ａ、１４１ｂが適切に折れ曲がるように、さらに逃げ溝２２１ａ、２２１ｂが形成されている。
【００３８】
第２原径部端部受容溝２３０ａ、２３０ｂは略円弧状の断面を有している。第２原径部端部受容溝２３０ａ、２３０ｂの底部には、底部突起２３１ａ、２３１ｂが設けられている。この突起は第１ケーブル固定部材１００と第２ケーブル固定部材２００を係合する時に同軸ケーブル１０ａ、１０ｂの原径部端部１７ａ、１７ｂに食い込み、原径部端部１７ａ、１７ｂを保持する機能を果たす。
【００３９】
そして、第２ケーブル固定部材２００の第２内側絶縁部材露出部受容溝２１０ａ、２１０ｂの側方の外側部分には、第１突起２０３ａ（図１には示されず）、２０３ｂ；第２突起２０４ａ（図１には示されず）、２０４ｂ；第３突起２０５ａ、２０５ｂ、および、切り込み２０６ａ、２０６ｂが付設されている。
【００４０】
また、第２ケーブル固定部材２００の第２外部導体露出部受容溝２２０ｂ、第２原径部端部受容溝２３０ａ、２３０ｂの側方の外側にＬ字状の第１アーム２４１ａ、２４１ｂ、第２アーム２４２ａ、２４２ｂ、第３アーム２４３ａ、２４３ｂが付設され、それらは先端側がバー２４４ａ、２４４ｂにより架橋結合されている。第１アーム２４１ａ、２４１ｂには第４突起２０７ａ（図１には示されず）、２０７ｂが、バー２４４ａ、２４４ｂには第５突起２０８ａ（図１には示されず）、２０８ｂが付設されている。
【００４１】
次にハウジング３００の詳細を説明する。
ハウジング３００の本体ブロック３０１には先端部側に第１チャンバ３１０、反先端部側に第２チャンバ３２０が形成されている。
そして、第１チャンバ３１０内には第１接触子３３０ａ、３３０ｂおよび第２接触子３４０ａ、３４０ｂが取付けられている。以下、その取付け方法について説明する。
【００４２】
図４は第１接触子３３０ａ、３３０ｂおよび第２接触子３４０ａ、３４０ｂの単品の斜視図である。第１接触子３３０ａ、３３０ｂおよび第２接触子３４０ａ、３４０ｂの各下端に第１接触子用の接続部材３５０ａ、３５０ｂおよび第２接触子用の接続部材３６０ａ、３６０ｂが取付けられ、第１接触子用の接続部材３５０ａ、３５０ｂおよび第２接触子用の接続部材３６０ａ、３６０ｂは先端部側に延伸し先端が上方に曲げられ、そこに外部ケーブル結合用端子３７０ａ、３７０ｂ、および、３８０ａ、３８０ｂ、が取付けられている。
【００４３】
そして、第１接触子３３０ａ、３３０ｂおよび第２接触子３４０ａ、３４０ｂが、それぞれ、第１チャンバ３１０の底部に形成されている溝３１１ａ、３１１ｂおよび３１２ａ、３１２ｂに嵌合され、外部ケーブル結合用端子３７０ａ、３７０ｂ、および、３８０ａ、３８０ｂは本体ブロック３０１の端部壁３０２に予め形成された穴（図示しない）を通って、端部壁３０２の先端部側に形成されている他のコネクタが挿入される接続室（図示しない）内に達している。このようにして第１接触子３３０ａ、３３０ｂおよび第２接触子３４０ａ、３４０ｂの位置決め、姿勢保持がおこなわれる。
【００４４】
第１接触子３３０ａ、３３０ｂおよび第２接触子３４０ａ、３４０ｂは、それぞれ板材３３１ａ、３３１ｂ、および、３４１ａ、３４１ｂに、図の上端から本体ブロック３０１の底部側に向かう、切り込み３３２ａ、３３２ｂ、および、３４２ａ、３４２ｂを形成し、かつ、図の上端に薄く尖らせた刃３３３ａ、３３３ｂ、および、３４３ａ、３４３ｂを形成して成る。
【００４５】
第１接触子３３０ａ、３３０ｂおよび第２接触子３４０ａ、３４０ｂは互いに全く同じものであり、外部ケーブル結合用端子３７０ａ、３７０ｂ、および、３８０ａ、３８０ｂも、互いに、全く同じである。しかし、第１接触子用の接続部材３５０ａ、３５０ｂおよび第２接触子用の接続部材３６０ａ、３６０ｂは、図示されるように、それぞれ、長短を有しており、図示されるように、長いものと短いものが交互になるようにされている。このようにすることにより、短絡を防止しながら幅を狭くすることができる。
【００４６】
第１チャンバ３１０の側壁には図中上側が閉じた第１溝３０３ａ、３０３ｂ（図１には示されない）、図中上側が開放された第２溝３０４ａ、３０４ｂ（図１には示されない）、図中上側が閉じた第３溝３０５ａ、３０５ｂ（図１には示されない）が形成されている。
【００４７】
第２チャンバ３２０の側壁には図中上側が開放された第４溝３０７ａ、３０７ｂ、図中上側が閉じた第５溝３０８ａ、３０８ｂ（図１には示されない）が形成され、第２チャンバ３２０の底壁には第１底部突起３２１ａ、３２１ｂ、および、第２底部突起３２２ａ、３２２ｂが形成されている。そして、第１チャンバ３１０と第２チャンバ３２０の間を区切るように大きな切り込み３０６ａ、３０６ｂが形成されている。
【００４８】
以下、上記のような形成されている第１ケーブル固定部材１００、第２ケーブル固定部材２００、ハウジング３００を有する同軸ケーブルコネクタ１への同軸ケーブル１０ａ，１０ｂの接続手順を説明する。
先ずは、図２のように準備された同軸ケーブル１０ａ、１０ｂを、内側絶縁部材露出部分１５ａ、１５ｂ、および、外部導体露出部分１６ａ、１６ｂが、それぞれ、第１ケーブル固定部材１００の第１内側絶縁部材露出部受容溝１１０ａ、１１０ｂ、および、第１外部導体露出部受容溝１２０ａ、１２０ｂに合うようにして、押し込んでセットする。
この時、同軸ケーブル１０ａ、１０ｂの原径部端部１７ａ、１７ｂに、第１ケーブル固定部材１００の第１原径部受容溝１３０ａ、１３０ｂ内の、第１側部突起１３２ａ、１３２ｂと第２側部突起１３３ａ、１３３ｂが、食い込むので、これにより、仮止めされ同軸ケーブル１０ａ、１０ｂはずれない。
【００４９】
次いで、第２ケーブル固定部材２００を反転させて第１ケーブル固定部材１００の上に被せる。
すると、第２ケーブル固定部材２００のバー２４４ａ、２４４ｂが幅方向に広げられながら第１ケーブル固定部材１００の第４突起１０６ａ、１０６ｂ、および、第５突起１０７ａ、１０７ｂの外側を滑り降り、やがて、バー２４４ａ、２４４ｂが、図１における第１ケーブル固定部材１００の第４突起１０６ａ、１０６ｂ、および、第５突起１０７ａ、１０７ｂの下側に入りこみ、係合が完了する。
【００５０】
係合が完了した状態では、同軸ケーブル１０ａ、１０ｂの原径部端部１７ａ、１７ｂに、第１ケーブル固定部材１００の第１原径部端部受容溝１３０ａ、１３０ｂの突起１３１ａ、１３１ｂ、および、第２ケーブル固定部材２００の第２原径部端部受容溝２３０ａ、２３０ｂの突起２３１ａ、２３１ｂが、食い込み、同軸ケーブル１０ａ、１０ｂは強く保持される。
【００５１】
図５に示すのは、上記のようにして、第１ケーブル固定部材１００と第２ケーブル固定部材２００の係合が終わった状態を示す図である。
この、第１ケーブル固定部材１００と第２ケーブル固定部材２００の係合されたものをケーブル固定部材組立体４００と称する。
【００５２】
次に、上記のケーブル固定部材組立体４００をハウジング３００に係合する。
この時、図５に示されるケーブル固定部材組立体４００が反転されてハウジング３００に係合される。すなわち、第２ケーブル固定部材２００の方が、ハウジング３００に対して下側になってハウジング３００に向けて押し込まれる。
【００５３】
すると、まずは、第１ケーブル固定部材１００の第３突起１０５ａ、１０５ｂが、仮止め的に、ハウジング３００の第３溝３０５ａ、３０５ｂに係合する。
次いで、第２ケーブル固定部材２００の第１突起２０３ａ、２０３ｂ、第２突起２０４ａ、２０４ｂ、第３突起２０５ａ、２０５ｂが、それぞれ、ハウジング３００の第１溝３０３ａ、３０３ｂ、第２溝３０４ａ、３０４ｂ、第３溝３０５ａ、３０５ｂに係合する。
このうち、第２ケーブル固定部材２００の第２突起２０４ａ、２０４ｂとハウジング３００の第２溝３０４ａ、３０４ｂは位置決めの役割を果たす。
【００５４】
次いで、第１ケーブル固定部材１００の第１突起１０３ａ、１０３ｂ、第２突起１０４ａ、１０４ｂが、第２ケーブル固定部材２００の第１突起２０３ａ、２０３ｂ、第３突起２０５ａ、２０５ｂを追いかけるようにしてハウジング３００の第１溝３０５ａ、３０５ｂに係合する。
ここで、第２ケーブル固定部材２００の第１突起２０３ａ、２０３ｂ、第３突起２０５ａ、２０５ｂは、第１ケーブル固定部材１００の第１突起１０３ａ、１０３ｂ、第２突起１０４ａ、１０４ｂと同じ長手方向位置にあるので、第２ケーブル固定部材２００の第１突起２０３ａ、２０３ｂ、第３突起２０５ａ、２０５ｂが、第１ケーブル固定部材１００の第３突起１０５ａ、１０５ｂの仮止め作用に続く、第２段階目の仮止め作用をおこない、実質的な係合は第１ケーブル固定部材１００の第１突起１０３ａ、１０３ｂ、第２突起１０４ａ、１０４ｂとハウジング３００の第１溝３０３ａ、３０３ｂ、第３溝３０５ａ、３０５ｂの間の係合でおこなわれる。
【００５５】
なお、第３溝３０５ａ、３０５ｂは長手方向の幅が大きく形成されており、第１ケーブル固定部材１００の第３突起１０５ａ、１０５ｂと第２ケーブル固定部材２００の第３突起２０５ａ、２０５ｂの両方が係合するようにされている。
【００５６】
同時に、第２ケーブル固定部材２００の第４突起２０７ａ、２０７ｂがハウジング３００の第４溝３０７ａ、３０７ｂに係合するが、これは位置決めの作用をおこなう。そして、第５突起２０８ａ、２０８ｂがハウジング３００の第５溝３０８ａ、３０８ｂに係合する。
【００５７】
また、第２チャンバ３２０の底壁の第１底部突起３２１ａ、３２１ｂ、および、第２底部突起３２２ａ、３２２ｂが、第２ケーブル固定部材２００の第１アーム２４１ａ、２４１ｂと第２アーム２４２ａ、２４２ｂの間、および、第２アーム２４２ａ、２４２ｂと第３アーム２４３ａ、２４３ｂに嵌合するように、の形成されている。
【００５８】
そして、第１接触子３３０ａは第２ケーブル固定部材２００の第２内側絶縁部材露出部受容溝２１０ａに形成されている第１接触子貫通穴２１２ａ、および、第１ケーブル固定部材１００の第１内側絶縁部材露出部受容溝１１０ａに形成されている第１接触子貫通穴１１２ａを通過せしめられ、その際に、第１接触子３３０ａの刃３３３ａが同軸ケーブル１０ａの内側絶縁部材露出部１５ａの内側絶縁部材１２ａを切り進み、切り欠き３３２ａに中心導体１１ａが係合する。
【００５９】
同様に、第１接触子３３０ｂは第２ケーブル固定部材２００の第２内側絶縁部材露出部受容溝２１０ｂに形成されている第１接触子貫通穴２１２ｂ、および、第１ケーブル固定部材１００の第１内側絶縁部材露出部受容溝１１０ｂに形成されている第１接触子貫通穴１１２ｂを通過せしめられ、その際に、第１接触子３３０ｂの刃３３３ｂが同軸ケーブル１０ｂの内側絶縁部材露出部１５ｂの内側絶縁部材１２ｂを切り進み、切り欠き３３２ｂに中心導体１１ｂが係合する。
【００６０】
また、第２接触子３４０ａは第２ケーブル固定部材２００の第２内側絶縁部材露出部受容溝２１０ａに形成されている第２接触子貫通穴２５０ａ、および、第１ケーブル固定部材１００の第１内側絶縁部材露出部受容溝１１０ａに形成されている第２接触子貫通穴１６１ａを通過せしめられ、その際に、第２接触子３４０ａの切り欠き３４２ａに把持導体延伸部材１５０ａが係合する。
【００６１】
同様に、第２接触子３４０ｂは第２ケーブル固定部材２００の第１内側絶縁部材露出部受容溝２１０ｂに形成されている第２接触子貫通穴２５０ｂ、および、第１ケーブル固定部材１００の第１内側絶縁部材露出部受容溝１１０ｂに形成されている第２接触子貫通穴１６１ｂを通過せしめられ、その際に、第２接触子３４０ｂの切り欠き３４２ｂに把持導体延伸部材１５０ｂが係合する。
【００６２】
図６は、第１接触子３３０ａ、３３０ｂの切り欠き３３２ａ、３３２ｂに、中心導体１２ａ、１２ｂが係合し、第２接触子３４０ａ、３４０ｂの切り欠き３４２ａ、３４２ｂに、把持導体延伸部材１５０ａ、１５０ｂが係合した様子を示す斜視図である。
【００６３】
そして、図７は、ハウジング３００へケーブル固定部材組立体４００を係合して完成された同軸ケーブルハーネス体５００を示す図である。なお、このように完成された同軸ケーブルハーネス体５００はハウジング３００の接続室（図示せず）内の外部導線接続用端子３７０ａ，３７０ｂ、および、３８０ａ，３８０ｂに相補的に係合する端子を有する、他のケーブルのコネクタ、あるいは、機器に付設されているコネクタと結合される。
【００６４】
以上、本発明の同軸ケーブルコネクタおよび同軸ケーブルハーネス体を説明してきたが、２本の同軸ケーブルが取付けられるが、その信号送信用のそれぞれの中心導体から中心導体用の外部ケーブル結合用端子にいたる経路が絶縁性の樹脂材料の上に配設されて絶縁されているのみならず、それぞれの外部導体から外部導体用の外部ケーブル結合用端子にいたる経路も絶縁性の樹脂材料の上に配設され絶縁されており、外部導体が連結されていないので、外部導体の独立性が保たれ１つの外部導体の電位が異常となってもそれが他の全部に伝わることはない。
【００６５】
【発明の効果】
請求項１から６の発明によれば、押圧による係合で簡単に同軸ケーブルを取付けることができ作業性が良い。また、取付けられた同軸ケーブルの中心導体および外部導体がそれぞれ絶縁されて外部ケーブル結合端子と接続されているので複数の同軸ケーブルを取付けた場合でも、シールドが共通化されることがない。
そして、請求項７に記載の発明は同軸ケーブルハーネス体であるが、上記のような同軸ケーブルコネクタを利用するので、ケーブルに簡単にコネクタを接続でき、かつ、すぐれたシールド性を確保できる。
【図面の簡単な説明】
【図１】第１ケーブル固定部材と第２ケーブル固定部材とハウジングを有する本発明の同軸ケーブルコネクタの実施の形態の構造を示す斜視図である。
【図２】図１の同軸ケーブルコネクタに接続される同軸ケーブルの端部の状態を示す図である。
【図３】第１ケーブル固定部材内に取付けられる把持導体および把持導体延伸部材を示す図である。
【図４】ハウジングに取付けられる接触子と接触子接続部材と外部導体接続端子を示す図である。
【図５】第１ケーブル固定部材と第２ケーブル固定部材を係合したケーブル固定部材組立体とハウジングを示す図である。
【図６】接触子と同軸ケーブルの内側絶縁部材露出部および把持導体延伸部材が係合された状態を示す図である。
【図７】ハウジングにケーブル固定部材組立体を係合した状態を示す図である。
【符号の説明】
１…同軸ケーブルコネクタ
２，３…連結部材
１０ａ、１０ｂ…同軸ケーブル
１１ａ、１１ｂ…中心導体
１２ａ、１２ｂ…内側絶縁部材
１３ａ、１３ｂ…外部導体
１４ａ、１４ｂ…外側絶縁部材
１５ａ、１５ｂ…内側絶縁部材露出部
１６ａ、１６ｂ…外部導体露出部
１７ａ、１７ｂ…原径部端部
１００…第１ケーブル固定部材
１０１…ブロック本体
１０２…先端壁
１０３ａ、１０３ｂ…第１突起
１０４ａ、１０４ｂ…第２突起
１０５ａ、１０５ｂ…第３突起
１０６ａ、１０６ｂ…第４突起
１０７ａ、１０７ｂ…第５突起
１１０ａ、１１０ｂ…第１内側絶縁部材露出部受容溝
１１１ａ、１１１ｂ…確認穴
１１２ａ、１１２ｂ…（第１接触子の）貫通穴
１２０ａ、１２０ｂ…第１外部導体露出部受容溝
１３０ａ、１３０ｂ…第１原径部端部受容溝
１３１ａ、１３１ｂ…底部突起
１３２ａ、１３２ｂ…第１側部突起
１３３ａ、１３３ｂ…第２側部突起
１４０ａ、１４０ｂ…把持導体
１４１ａ、１４１ｂ…被押圧部材
１４２ａ、１４２ｂ…基部
１４３ａ、１４３ｂ…突起
１４４ａ、１４４ｂ…（段差状の）突起
１５０ａ、１５０ｂ…把持導体延伸部材
１５１ａ、１５１ｂ…突起
１６０ａ、１６０ｂ…把持導体延伸部材受容溝
１６１ａ、１６１ｂ…（第２接触子用の）貫通穴
２００…第２ケーブル固定部材
２０１…ブロック本体
２０２ａ、２０２ｂ…先端壁
２０３ａ、２０３ｂ…第１突起
２０４ａ、２０４ｂ…第２突起
２０５ａ、２０５ｂ…第３突起
２０６ａ、２０６ｂ…切り欠き
２０７ａ、２０７ｂ…第４突起
２０８ａ、２０８ｂ…第５突起
２１０ａ、２１０ｂ…第２内側絶縁部材露出部受容溝
２１１ａ、２１１ｂ…確認穴
２１２ａ、２１２ｂ…（第１接触子用の）貫通穴
２２０ａ、２２０ｂ…第２外部導体露出部受容溝
２２１ａ、２２１ｂ…把持部逃げ溝
２３０ａ、２３０ｂ…第１原径部端部受容溝
２３１ａ、２３１ｂ…底部突起
２４１ａ、２４１ｂ…第１アーム
２４２ａ、２４２ｂ…第２アーム
２４３ａ、２４３ｂ…第３アーム
２４４ａ、２４４ｂ…バー
２５０ａ、２５０ｂ…（把持導体延伸部材用の）貫通穴
３００…ハウジング
３０１…ブロック本体
３０２…端部壁
３０３ａ、３０３ｂ…第１溝
３０４ａ、３０４ｂ…第２溝
３０５ａ、３０５ｂ…第３溝
３０６ａ、３０６ｂ…切り込み
３０７ａ、３０７ｂ…第４溝
３０８ａ、３０８ｂ…第５溝
３１０…第１チャンバ
３１１ａ、３１１ｂ…溝
３１２ａ、３１２ｂ…溝
３２０…第２チャンバ
３２１ａ、３２１ｂ…突起
３２２ａ、３２２ｂ…突起
３３０ａ、３３０ｂ…第１接触子
３３２ａ、３３２ｂ…切り込み
３３３ａ、３３３ｂ…刃
３４０ａ、３４０ｂ…第２接触子
３４２ａ、３４２ｂ…切り込み
３４３ａ、３４３ｂ…刃
３５０ａ、３５０ｂ…接続部材
３６０ａ、３６０ｂ…接続部材
３７０ａ、３７０ｂ…外部ケーブル結合用端子
３８０ａ、３８０ｂ…外部ケーブル結合用端子
４００…ケーブル固定部材組立体
５００…同軸ケーブルハーネス体
【図１】
2004311356.tif 000003
【図２】
2004311356.tif 000004
【図３】
2004311356.tif 000005
【図４】
2004311356.tif 000006
【図５】
2004311356.tif 000007
【図６】
2004311356.tif 000008
【図７】
2004311356.tif 000009